【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
記録装置に文字を含む画像を記録させる場合、記録すべき文字のフォントデータを指定するフォントデータ指定情報を含む制御コマンドを生成し、生成した前記制御コマンドを前記記録装置に出力する記録制御部と、
前記記録制御部が生成した前記制御コマンドに基づいて、前記記録媒体に記録される文字を含む画像の画像データであって、所定の表示手段により表示可能な形式の画像データである記録画像データを生成する画像データ生成部と、
前記画像データ生成部が生成した前記記録画像データを記憶する画像データ記憶部と、
を備えることを特徴とする制御装置。
【請求項２】
前記画像データ生成部は、自身が利用可能な利用可能フォント種類に基づいて、前記記録画像データに含まれる文字の画像データを生成することを特徴とする請求項１に記載の制御装置。
【請求項３】
前記記録装置は、複数の内蔵フォント種類のフォントデータを記憶し、
前記制御コマンドには、記録させる文字の内蔵フォント種類を指定するフォント種類指定情報が含まれ、
前記画像データ生成部は、
前記記録画像データの生成に利用可能な前記利用可能フォント種類のうち、前記フォント種類指定情報が指定する内蔵フォント種類に類する前記利用可能フォント種類を特定し、特定した前記利用可能フォント種類に基づいて、前記記録画像データに含まれる文字の画像データを生成することを特徴とする請求項１または２に記載の制御装置。
【請求項４】
前記画像データ記憶部は、
前記画像データ生成部が生成した前記記録画像データを、前記記録画像データに関連する情報と対応付けて記憶することを特徴とする請求項１ないし３のいずれかに記載の制御装置。
【請求項５】
前記記録装置は、決済情報が記録された紙片を発行するものであり、
前記記録制御部は、
前記紙片の発行に係る処理を実行させる前記制御コマンドを生成し、生成した前記制御コマンドを前記記録装置に出力し、
前記画像データ生成部は、
前記記録制御部が生成した前記制御コマンドを分析して、前記紙片に記録される画像を示す前記記録画像データを生成することを特徴とする請求項１ないし４のいずれかに記載の制御装置。
【請求項６】
制御装置に接続可能に構成され、
フォントデータを記憶する記憶部と、
前記制御装置から受信した制御コマンドに基づいて、記録媒体に記録される文字を含む画像の画像データであって、所定の表示手段により表示可能な形式の画像データである記録画像データを生成する画像データ生成部と、
前記画像データ生成部が生成した前記記録画像データを記憶する画像データ記憶部と、
を備えることを特徴とする記録装置。
【請求項７】
前記記録装置は、複数の内蔵フォント種類のフォントデータを記憶し、
前記制御コマンドには、記録させる文字の内蔵フォント種類を指定するフォント種類指定情報が含まれ、
前記画像データ生成部は、
前記内蔵フォント指定情報で指定された前記フォント種類に基づいて、前記記録画像データに含まれる文字の画像データを生成することを特徴とする請求項６に記載の記録装置。
【請求項８】
記録装置に文字を含む画像を記録させる場合、記録すべき文字のフォントデータを指定するフォントデータ指定情報を含む制御コマンドを生成し、生成した前記制御コマンドを前記記録装置に出力し、
生成した前記制御コマンドに基づいて、前記記録媒体に記録される文字を含む画像の画像データであって、所定の表示手段により表示可能な形式の画像データである記録画像データを生成し、
生成した前記記録画像データを記憶することを特徴とする制御装置の制御方法。
【請求項９】
前記画像データの生成では、自身が利用可能な利用可能フォント種類に基づいて、前記記録画像データに含まれる文字の画像データを生成することを特徴とする請求項８に記載の制御装置の制御方法。
【請求項１０】
前記記録装置は、複数の内蔵フォント種類のフォントデータを記憶し、
前記制御コマンドには、記録させる文字の内蔵フォント種類を指定するフォント種類指定情報が含まれ、
前記画像データの生成では、
前記記録画像データの生成に利用可能な前記利用可能フォント種類のうち、前記フォント種類指定情報が指定する内蔵フォント種類に類する前記利用可能フォント種類を特定し、特定した前記利用可能フォント種類に基づいて、前記記録画像データに含まれる文字の画像データを生成することを特徴とする請求項８または９に記載の制御装置の制御方法。
【請求項１１】
制御部を、
記録装置に文字を含む画像を記録させる場合、記録すべき文字のフォントデータを指定するフォントデータ指定情報を含む制御コマンドを生成し、生成した前記制御コマンドを前記記録装置に出力する記録制御部と、
前記記録制御部が生成した前記制御コマンドに基づいて、前記記録媒体に記録される文字を含む画像の画像データであって、所定の表示手段により表示可能な形式の画像データである記録画像データを生成する画像データ生成部と、
前記画像データ生成部が生成した前記記録画像データを記憶する画像データ記憶部と、
として機能させることを特徴とするプログラム。
【請求項１２】
前記画像データ生成部は、自身が利用可能な利用可能フォント種類に基づいて、前記記録画像データに含まれる文字の画像データを生成することを特徴とする請求項１１に記載のプログラム。
【請求項１３】
前記記録装置は、複数の内蔵フォント種類のフォントデータを記憶し、
前記制御コマンドには、記録させる文字の内蔵フォント種類を指定するフォント種類指定情報が含まれ、
前記画像データ生成部は、
前記記録画像データの生成に利用可能な前記利用可能フォント種類のうち、前記フォント種類指定情報が指定する内蔵フォント種類に類する前記利用可能フォント種類を特定し、特定した前記利用可能フォント種類に基づいて、前記記録画像データに含まれる文字の画像データを生成することを特徴とする請求項１１または１２に記載のプログラム。
【手続補正２】
【補正対象書類名】明細書
【補正対象項目名】０００５
【補正方法】変更
【補正の内容】
【０００５】
上記目的を達成するために、本発明の制御装置は、記録装置に文字を含む画像を記録させる場合、記録すべき文字のフォントデータを指定するフォントデータ指定情報を含む制御コマンドを生成し、生成した前記制御コマンドを前記記録装置に出力する記録制御部と、前記記録制御部が生成した前記制御コマンドに基づいて、前記記録媒体に記録される文字を含む画像の画像データであって、所定の表示手段により表示可能な形式の画像データである記録画像データを生成する画像データ生成部と、前記画像データ生成部が生成した前記記録画像データを記憶する画像データ記憶部と、を備えることを特徴とする。
また、本発明の制御装置は、前記画像データ生成部は、自身が利用可能な利用可能フォント種類に基づいて、前記記録画像データに含まれる文字の画像データを生成することを特徴とする。
また、本発明の制御装置は、前記記録装置は、複数の内蔵フォント種類のフォントデータを記憶し、前記制御コマンドには、記録させる文字の内蔵フォント種類を指定するフォント種類指定情報が含まれ、前記画像データ生成部は、前記記録画像データの生成に利用可能な前記利用可能フォント種類のうち、前記フォント種類指定情報が指定する内蔵フォント種類に類する前記利用可能フォント種類を特定し、特定した前記利用可能フォント種類に基づいて、前記記録画像データに含まれる文字の画像データを生成することを特徴とする。
また、本発明の制御装置は、前記画像データ記憶部は、前記画像データ生成部が生成した前記記録画像データを、前記記録画像データに関連する情報と対応付けて記憶することを特徴とする。
また、本発明の制御装置は、前記記録装置は、決済情報が記録された紙片を発行するものであり、前記記録制御部は、前記紙片の発行に係る処理を実行させる前記制御コマンドを生成し、生成した前記制御コマンドを前記記録装置に出力し、前記画像データ生成部は、前記記録制御部が生成した前記制御コマンドを分析して、前記紙片に記録される画像を示す前記記録画像データを生成することを特徴とする。
また、上記目的を達成するために、本発明の記録装置は、制御装置に接続可能に構成され、フォントデータを記憶する記憶部と、前記制御装置から受信した制御コマンドに基づいて、記録媒体に記録される文字を含む画像の画像データであって、所定の表示手段により表示可能な形式の画像データである記録画像データを生成する画像データ生成部と、前記画像データ生成部が生成した前記記録画像データを記憶する画像データ記憶部と、を備えることを特徴とする。
また、本発明の記録装置は、前記記録装置は、複数の内蔵フォント種類のフォントデータを記憶し、前記制御コマンドには、記録させる文字の内蔵フォント種類を指定するフォント種類指定情報が含まれ、前記画像データ生成部は、前記内蔵フォント指定情報で指定された前記フォント種類に基づいて、前記記録画像データに含まれる文字の画像データを生成することを特徴とする。
また、上記目的を達成するために、本発明の制御装置の制御方法は、記録装置に文字を含む画像を記録させる場合、記録すべき文字のフォントデータを指定するフォントデータ指定情報を含む制御コマンドを生成し、生成した前記制御コマンドを前記記録装置に出力し、生成した前記制御コマンドに基づいて、前記記録媒体に記録される文字を含む画像の画像データであって、所定の表示手段により表示可能な形式の画像データである記録画像データを生成し、生成した前記記録画像データを記憶することを特徴とする。
また、本発明の制御装置の制御方法は、前記画像データの生成では、自身が利用可能な利用可能フォント種類に基づいて、前記記録画像データに含まれる文字の画像データを生成することを特徴とする。
また、本発明の制御装置の制御方法は、前記記録装置は、複数の内蔵フォント種類のフォントデータを記憶し、前記制御コマンドには、記録させる文字の内蔵フォント種類を指定するフォント種類指定情報が含まれ、前記画像データの生成では、前記記録画像データの生成に利用可能な前記利用可能フォント種類のうち、前記フォント種類指定情報が指定する内蔵フォント種類に類する前記利用可能フォント種類を特定し、特定した前記利用可能フォント種類に基づいて、前記記録画像データに含まれる文字の画像データを生成することを特徴とする。
また、上記目的を達成するために、本発明のプログラムは、制御部を、記録装置に文字を含む画像を記録させる場合、記録すべき文字のフォントデータを指定するフォントデータ指定情報を含む制御コマンドを生成し、生成した前記制御コマンドを前記記録装置に出力する記録制御部と、前記記録制御部が生成した前記制御コマンドに基づいて、前記記録媒体に記録される文字を含む画像の画像データであって、所定の表示手段により表示可能な形式の画像データである記録画像データを生成する画像データ生成部と、前記画像データ生成部が生成した前記記録画像データを記憶する画像データ記憶部と、として機能させることを特徴とする。
また、本発明のプログラムは、前記画像データ生成部は、自身が利用可能な利用可能フォント種類に基づいて、前記記録画像データに含まれる文字の画像データを生成することを特徴とする。
また、本発明のプログラムは、前記記録装置は、複数の内蔵フォント種類のフォントデータを記憶し、前記制御コマンドには、記録させる文字の内蔵フォント種類を指定するフォント種類指定情報が含まれ、前記画像データ生成部は、前記記録画像データの生成に利用可能な前記利用可能フォント種類のうち、前記フォント種類指定情報が指定する内蔵フォント種類に類する前記利用可能フォント種類を特定し、特定した前記利用可能フォント種類に基づいて、前記記録画像データに含まれる文字の画像データを生成することを特徴とする。
上記目的を達成するために、本発明は、フォントデータを記憶し、前記フォントデータに基づいて文字を記録媒体に記録する記録装置に接続可能な制御装置であって、前記記録装置に文字を含む画像を記録させる場合、記録すべき文字に対応するフォントデータを指定するフォントデータ指定情報を含む制御コマンドを生成し、生成した前記制御コマンドを前記記録装置に出力する記録制御部と、前記記録制御部が生成した前記制御コマンドに基づいて、前記記録媒体に記録される文字を含む画像の画像データであって、所定の表示手段により表示可能な形式の画像データである記録画像データを生成する画像データ生成部と、前記画像データ生成部が生成した前記記録画像データを記憶する画像データ記憶部と、を備えることを特徴とする。
この構成によれば、制御装置は、記録装置に出力した制御コマンドに基づいて、記録媒体に記録される文字を含む画像を示す画像データであって、所定の表示手段により表示可能な形式の画像データである記録画像データを生成し、生成した記録画像データを記憶（保管）する。このため、記録装置の内蔵フォントを利用して記録媒体への文字の記録を行う構成のものにおいて、物理的な保管や、スキャニング等の煩雑な作業を経ることなく、記録画像データ、換言すれば、記録媒体に記録された情報を含むデータを、閲覧可能な態様で記憶可能である。
なお、文字とは、言語で使用される意味を持った文字のみならず、フォントデータに基づいて記録可能な図形（スペースを含む）の全てを含む概念である。